(57)【要約】【課題】  歌唱者にとって歌詞テロップの文字サイズが小さすぎる場合であっても、歌唱者が容易に歌詞を思い出すきっかけを与えることが可能なカラオケ演奏装置における歌詞文字表示システムを提供する。【解決手段】  カラオケ楽曲の演奏に同期して表示させる歌詞文字データ及びその表示タイミングデータ３３ｂをカラオケ楽曲毎に記憶する歌詞文字データ記憶手段（楽曲データベース３４ａ）と、任意のカラオケ楽曲の演奏に際して、当該カラオケ楽曲の表示タイミングデータ３３ｂに基づいて複数の歌唱フレーズをそれぞれ識別し、各歌唱フレーズにおいて歌詞文字データを表示させる際に、各歌唱フレーズにおける先頭側の文字サイズを末尾側の文字サイズよりも大きく表示させる歌詞文字表示サイズ制御手段３９とを備える。【選択図】図１
2013054046.tif 000002
【特許請求の範囲】
【請求項１】
歌詞テロップを表示する際に、各歌唱フレーズにおける各歌詞文字の表示サイズを変更することが可能なカラオケ演奏装置における歌詞文字表示システムであって、歌詞文字データ記憶手段と、歌詞文字表示サイズ制御手段と、を備え、
前記歌詞文字データ記憶手段は、カラオケ楽曲の演奏に同期して表示させる歌詞文字データ及びその表示タイミングデータをカラオケ楽曲毎に記憶し、
前記歌詞文字表示サイズ制御手段は、任意のカラオケ楽曲の演奏に際して、当該カラオケ楽曲の前記表示タイミングデータに基づいて複数の歌唱フレーズをそれぞれ識別し、各歌唱フレーズにおいて前記歌詞文字データを表示させる際に、各歌唱フレーズにおける先頭側の文字サイズを末尾側の文字サイズよりも大きく表示させる、
ことを特徴とするカラオケ演奏装置における歌詞文字表示システム。
【請求項２】
歌詞文字縮小表示制御手段をさらに備え、
前記歌詞文字縮小表示制御手段は、前記歌詞文字をデフォルトサイズよりも小さく表示させ、
前記歌詞文字表示サイズ制御手段は、前記歌詞文字縮小表示制御手段により歌詞文字データの縮小表示制御が行われている場合に、前記各歌唱フレーズにおける先頭側の文字サイズを末尾側の文字サイズよりも大きく表示させる、
ことを特徴とする請求項１に記載のカラオケ演奏装置における歌詞文字表示システム。
【発明の詳細な説明】
【技術分野】
【０００１】
本発明は、カラオケ演奏装置における歌詞文字表示システムに関し、歌唱者にとって歌詞テロップの文字サイズが小さすぎる場合であっても、歌唱者が容易に歌詞を思い出すきっかけを与えることが可能なシステムに関するものである。
【背景技術】
【０００２】
カラオケ演奏装置を利用してカラオケを楽しむには、表示装置の表示画面に表示される歌詞テロップを見ながら歌詞を確認すると共に、歌詞文字の色変わりタイミングに合わせて歌唱を行うのが一般的である。頻繁に歌唱している楽曲の場合には歌詞を覚えていることが多いが、たまにしか歌唱しない楽曲や初めて歌唱する楽曲の場合には、歌詞テロップの表示を頼りに歌唱を行うことになる。
【０００３】
この際、若者のように視力が良い歌唱者の場合には、小さな歌詞文字であっても認識することができるが、老人のように視力が良くない歌唱者の場合には、小さな歌詞文字では認識することができない場合がある。そして、歌詞文字を認識できないと、上手に歌うことができないため、カラオケの楽しさを十分に味わうことができない。
【０００４】
そこで、従来、歌詞テロップの文字サイズを変更することが可能なカラオケ演奏装置が種々開発されている（例えば、特許文献１、特許文献２参照）。特許文献１に記載された技術は、表示される歌詞文字の文字サイズを設定することにより、所望の大きさの文字サイズで歌詞文字を表示できるようにしたものである。
【０００５】
また、特許文献２に記載された技術は、予め複数の文字サイズや文字形態（漢字、ひらがな等の形態）の表示データを用意しておき、歌唱者の所望に応じて適宜な文字サイズや文字形態で歌詞文字を表示できるようにしたものである。
【先行技術文献】
【特許文献】
【０００６】
【特許文献１】特開平７−３３４１７８号公報
【特許文献２】特開２００２−８２６７８号公報
【発明の概要】
【発明が解決しようとする課題】
【０００７】
ところで、現在のカラオケ演奏装置には、フルハイビジョンに対応した高精細な背景映像を表示し、楽曲の歌唱だけではなく、背景映像の美しさを楽しむことができるものがある。このようなカラオケ演奏装置では、背景映像を楽しませることが目的の一つであるため、背景映像と共に表示される歌詞テロップ（歌詞文字）を縮小表示させることができるようになっている。
【０００８】
すなわち、フルハイビジョンに対応した高精細な背景映像を表示するカラオケ演奏装置では、歌詞テロップを縮小表示できるようになっており、これにより、歌詞テロップが邪魔にならずに高精細な背景映像を見ることができるので、迫力と臨場感がある美しい映像により、カラオケの楽しさをさらに増加させることができる。
【０００９】
上述したように、歌詞テロップを縮小表示した場合に、頻繁に歌唱している楽曲であれば、歌詞をほぼ暗記しているため歌詞テロップの縮小表示が問題となることは殆ど無い。また、視力が良い歌唱者であれば、歌詞テロップが縮小表示されていても文字を認識することができるが、視力がそれほど良くない歌唱者にとっては、歌詞テロップが縮小表示されていると文字を認識することができず、カラオケの楽しさを十分に味わうことができない場合もある。さらに、一般的な文字サイズで歌詞テロップが表示されている場合であっても、表示装置から離れていたり、視力があまり良くなかったりする歌唱者にとっては、歌詞文字が小さすぎて歌詞を確認できないこともある。
【００１０】
本発明は、上述した事情に鑑み提案されたもので、歌唱者にとって歌詞テロップの文字サイズが小さすぎる場合であっても、歌唱者が容易に歌詞を思い出すきっかけを与えることが可能なカラオケ演奏装置における歌詞文字表示システムを提供することを目的とする。
【課題を解決するための手段】
【００１１】
本発明のカラオケ演奏装置における歌詞文字表示システムは、上述した目的を達成するため、以下の特徴点を有している。すなわち、本発明のカラオケ演奏装置における歌詞文字表示システムは、歌詞テロップを表示する際に、各歌唱フレーズにおける各歌詞文字の表示サイズを変更することが可能なカラオケ演奏装置における歌詞文字表示システムであって、歌詞文字データ記憶手段と、歌詞文字表示サイズ制御手段とを備えたことを特徴とするものである。
【００１２】
歌詞文字データ記憶手段は、カラオケ楽曲の演奏に同期して表示させる歌詞文字データ及びその表示タイミングデータをカラオケ楽曲毎に記憶するための手段である。歌詞文字表示サイズ制御手段は、任意のカラオケ楽曲の演奏に際して、当該カラオケ楽曲の表示タイミングデータに基づいて複数の歌唱フレーズをそれぞれ識別し、各歌唱フレーズにおいて歌詞文字データを表示させる際に、各歌唱フレーズにおける先頭側の文字サイズを末尾側の文字サイズよりも大きく表示させるための手段である。
【００１３】
また、上述した構成に加えて、歌詞文字縮小表示制御手段をさらに備えることが可能である。歌詞文字縮小表示制御手段は、歌詞文字をデフォルトサイズよりも小さく表示させるための手段である。この場合、歌詞文字表示サイズ制御手段は、歌詞文字縮小表示制御手段により歌詞文字データの縮小表示制御が行われている場合に、各歌唱フレーズにおける先頭側の文字サイズを末尾側の文字サイズよりも大きく表示させる制御を行う。
【００１４】
このような構成からなるカラオケ演奏装置における歌詞文字表示システムでは、楽曲データベース等からなる歌詞文字データ記憶手段により、楽曲毎に、演奏に同期して表示させる歌詞文字データ及びその表示タイミングデータを記憶する。そして、カラオケ楽曲を演奏する際に、当該カラオケ楽曲の背景映像データに同期させて、歌詞文字データ記憶手段に記憶されている歌詞文字データ及びその表示タイミングデータに基づいて生成される歌詞文字を表示装置の表示画面に表示させる。
【００１５】
この際、歌詞文字表示サイズ制御手段の機能により、カラオケ楽曲の表示タイミングデータに基づいて複数の歌唱フレーズをそれぞれ識別し、各歌唱フレーズにおいて歌詞文字データを表示させる際に、各歌唱フレーズにおける先頭側の文字サイズを末尾側の文字サイズよりも大きく表示させる。例えば、各歌唱フレーズの先頭文字あるいは先頭文字から所定数の文字を、それ以降の文字よりも大きく表示したり、各歌唱フレーズの末尾側から先頭側に向かって徐々に文字サイズを大きくしたりする。
【００１６】
また、例えば、フルハイビジョンに対応した高精細な背景映像を表示するカラオケ演奏装置では、迫力と臨場感がある美しい背景映像を楽しませるために、歌詞文字縮小表示制御手段の機能により、歌詞文字をデフォルトサイズよりも小さく表示させる場合がある。この場合には、歌詞文字表示サイズ制御手段の機能により、上述した歌詞文字サイズの変更表示を行わせる。すなわち、歌詞文字縮小表示制御手段の機能により歌詞文字が縮小表示されている場合に、歌詞文字表示サイズ制御手段の機能により、各歌唱フレーズにおける先頭側の文字サイズを末尾側の文字サイズよりも大きく表示させる。
【発明の効果】
【００１７】
本発明のカラオケ演奏装置における歌詞文字表示システムによれば、各歌唱フレーズにおける先頭側の文字サイズを末尾側の文字サイズよりも大きく表示させることにより、視力が弱い歌唱者や表示装置から遠い位置にいる歌唱者であっても、歌詞文字の先頭側の文字を認識し易くなる。そして、歌詞文字の先頭側の文字を認識できれば、それに続く歌詞文字を思い出すきっかけになり、歌詞文字の全体を認識できない場合であっても歌唱を行うことができるので、カラオケの楽しさを十分に味わうことが可能となる。
【００１８】
また、このように、各歌唱フレーズにおける先頭側の文字サイズを末尾側の文字サイズよりも大きく表示する制御は、特に、フルハイビジョンに対応した高精細な背景映像を表示するカラオケ演奏装置のように、歌詞テロップが縮小表示されている場合に有効となる。すなわち、フルハイビジョンに対応した高精細な背景映像を表示するカラオケ演奏装置では、歌詞文字を縮小表示することにより、歌詞テロップが邪魔にならずに、迫力と臨場感がある美しい映像を楽しむことができるが、この場合にも、高詳細な背景映像を楽しむことができると共に、歌詞文字の先頭側の文字を容易に確認して、それに続く歌詞文字を思い出したり、連想したりするきっかけを与えることが可能となる。
【図面の簡単な説明】
【００１９】
【図１】本発明の実施形態に係るカラオケ演奏装置における歌詞文字表示システムの構成を示すブロック図。
【図２】歌詞文字の表示タイミングデータの構成を示す説明図。
【図３】歌詞テロップの表示例（１）を示す模式図。
【図４】歌詞テロップの表示例（２）を示す模式図。
【発明を実施するための形態】
【００２０】
以下、図面を参照して、本発明のカラオケ演奏装置における歌詞文字表示システム（以下、歌詞文字表示システムと記す）の実施形態について説明する。図１〜図４は本発明の実施形態に係る歌詞文字表示システムを示すもので、図１は歌詞文字表示システムの構成を示すブロック図、図２は表示タイミングデータの構成を示す説明図、図３及び図４は歌詞テロップの表示例を示す模式図である。
【００２１】
＜歌詞文字表示システムの概要＞
本発明の実施形態に係る歌詞文字表示システムは、カラオケ演奏装置の構成要素として実現されるシステムであって、各歌唱フレーズにおいて歌詞文字データを表示させる際に、各歌唱フレーズにおける先頭側の文字サイズを末尾側の文字サイズよりも大きく表示させることにより、歌唱者が容易に歌詞を思い出したり、連想したりするきっかけを与えることができるようしたシステムである。この歌詞文字表示システムは、歌詞文字データ記憶手段（例えば、ＨＤＤに記憶された楽曲データベース）及び歌詞文字表示サイズ制御手段により構成される。また、これらの手段に加えて、歌詞文字縮小表示制御手段を備えることが可能である。各手段については、後に詳述する。
【００２２】
上述した各手段及び以下に説明する各手段は、例えば、ＣＰＵ等のハードウェアが、ＲＯＭ等に記憶されたプログラムに従って動作することにより実現されるものである。なお、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２３】
＜カラオケ演奏装置＞
本発明の実施形態に係る歌詞文字表示システムを適用するカラオケ演奏装置１０は、図１に示すように、カラオケ本体２１、カラオケリモコン装置２２、スピーカ２３、マイクロホン２４、表示装置２５、ミキシングアンプ２６を備えている。
【００２４】
＜カラオケリモコン装置＞
カラオケリモコン装置２２は、ユーザインタフェース機能を備えており、カラオケ本体２１の送受信手段３５との間で有線方式又は無線方式によりデータの送受信を行うようになっている。このカラオケリモコン装置２２は、楽曲検索手段２２ａとして機能するプログラム、楽曲索引データベース２２ｂ、データの送受信を行うための電子回路及びプログラム、フラッシュメモリ等からなる記憶手段（図示せず）を備えている。このカラオケリモコン装置２２に付帯するスイッチ類や、入出力表示部（図示せず）に表示される各種のアイコン等を操作することにより、選曲操作や、歌詞文字の縮小表示設定等を行うことができる。
【００２５】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ本体２１で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２６】
＜マイクロホン＞
マイクロホン２４は、歌唱音声の入力を行うための装置である。マイクロホン２４から入力された歌唱音声信号は、ミキシングアンプ２６により、音楽再生制御手段３７から送出される演奏音声信号とミキシングされると共に増幅され、スピーカ２３へ出力される。
【００２７】
＜表示装置＞
表示装置２５は、カラオケ楽曲に関連した背景映像や歌詞テロップ等を表示するための装置で、例えば、液晶ディスプレイ等により構成される。この表示装置２５は、一般的に普及している液晶ディスプレイ等であってもよいし、フルハイビジョンに対応した液晶ディスプレイ等であってもよい。
【００２８】
＜カラオケ本体＞
カラオケ本体２１は、図１に示すように、中央制御手段３１、ＲＯＭ３２、ＲＡＭ３３、ＨＤＤ３４、送受信手段３５、予約管理手段３６、音楽再生制御手段３７、映像再生制御手段３８、歌詞文字表示サイズ制御手段３９、歌詞文字縮小表示制御手段４０を備えている。
【００２９】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたプログラムに従って動作することにより、制御機能を発揮することができるようになっている。
【００３０】
＜ＲＯＭ／ＲＡＭ＞
ＲＯＭ３２は、カラオケ本体２１を構成する各機器を制御するためのプログラムデータや数値データを記憶するための機器で、例えば半導体メモリ等で構成される。また、ＲＡＭ３３は、プログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。
【００３１】
本実施形態では、ＲＡＭ３３に、予約待ち行列３３ａ、歌詞文字の表示タイミングデータ３３ｂが記憶されている。予約待ち行列３３ａは、選曲予約されたカラオケ楽曲について、演奏順に楽曲ＩＤを並べて構成されたデータテーブルであり、選曲者の利用者ＩＤ等、他の識別データが紐付けられている場合もある。歌詞文字の表示タイミングデータ３３ｂは、楽曲データベース３４ａから抽出した歌詞文字の表示タイミングに関するデータである。
【００３２】
＜ＨＤＤ＞
ＨＤＤ３４は、大容量記憶装置として機能するもので、楽曲データベース３４ａ、映像データベース３４ｂが格納されている。なお、ＨＤＤ３４に替えて、あるいはＨＤＤ３４と共に、データを書き替え可能なＤＶＤ等の大容量記憶装置を用いてもよい。
【００３３】
＜楽曲データベース（歌詞文字データ記憶手段）＞
楽曲データベース３４ａは、演奏データ（ＭＩＤＩ（登録商標）データ）及び歌詞描出データが同期されて構成される楽曲データについて、楽曲ＩＤと対応付けてそれぞれ構成されたデータベースである。演奏データは、各楽曲の演奏を制御するためのデジタルデータであり、歌詞描出データは演奏に同期した歌詞文字データ、歌詞文字の表示タイミングデータ及び色変わりデータを含んでいる。本実施形態では、この楽曲データベース３４ａが歌詞文字データ記憶手段として機能する。
【００３４】
＜表示タイミングデータ＞
歌詞文字の表示タイミングデータ３３ｂは、ＭＩＤＩ規格により構成されており、例えば、図２に示すように、最初の歌詞のワイプ開始時刻を示すコーラスマーク、最後の歌詞のワイプ終了時刻を示すエンディングマーク、間奏区間の直前におけるワイプ終了時刻を示す間奏マーク、歌詞文字表示における各ページの最初のフレーズのワイプ開始タイミングを示すフレーズマーク等がある。本実施形態では、これらの表示タイミングデータ３３ｂのうちのコーラスマーク及びフレーズマークを利用して、一連の歌詞文字群を複数に分割して、複数の歌唱パートを形成する。歌詞テロップ（歌詞文字）は、各歌唱パートを一区切りとして表示される。
【００３５】
＜映像データベース＞
映像データベース３４ｂは、演奏されるカラオケ楽曲に対応して表示される背景映像を、当該カラオケ楽曲の楽曲ＩＤに対応させた映像ファイルとして所定数格納したデータベースである。なお、背景映像データは、複数のカラオケ楽曲に対応したデータであってよいし、各カラオケ楽曲にそれぞれ対応したデータであってもよい。また、背景映像データを、フルハイビジョンに対応した高精細な映像データとすることが可能である。
【００３６】
＜送受信手段＞
送受信手段３５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間でデータの送受信が行われる。
【００３７】
＜予約管理手段＞
予約管理手段３６は、利用者により楽曲検索手段２２ａの機能を用いて選曲された楽曲の楽曲ＩＤを演奏順に並べて予約待ち行列３３ａを生成し、この予約待ち行列３３ａをＲＡＭ３３に格納して管理するためのプログラムからなる。カラオケ演奏は、予約待ち行列３３ａに登録された楽曲ＩＤ順に行われ、演奏が終了した楽曲及び予約をキャンセルした楽曲については、その楽曲ＩＤが予約待ち行列から削除される。
【００３８】
＜音楽再生制御手段＞
音楽再生制御手段３７は、楽曲ＩＤに基づいて楽曲データベース３４ａから抽出された演奏データに基づいて、音源データをデジタル再生すると共にアナログ変換してミキシングアンプ２６に出力するための電子回路である。上述したように、ミキシングアンプ２６は、マイクロホン２４から入力された歌唱者の歌唱音声信号と、音楽再生制御手段３７から送出される演奏音声信号とをミキシングすると共に、アンプ機能により増幅してスピーカ２３より出力させるための装置である。
【００３９】
＜映像再生制御手段＞
映像再生制御手段３８は、カラオケ楽曲を演奏する際に、映像データベース３４ｂから抽出した当該カラオケ楽曲の背景映像データと、演奏データに含まれる歌詞描出データに基づいて生成される歌詞文字とを、当該カラオケ楽曲の演奏データに同期させて表示装置２５に出力するためのプログラムからなる。
【００４０】
＜歌詞文字表示サイズ制御手段＞
歌詞文字表示サイズ制御手段３９は、任意のカラオケ楽曲の演奏に際して、当該カラオケ楽曲の表示タイミングデータに基づいて複数の歌唱フレーズをそれぞれ識別し、各歌唱フレーズにおいて歌詞文字データを表示させる際に、各歌唱フレーズにおける先頭側の文字サイズを末尾側の文字サイズよりも大きく表示させるためのプログラムからなる。
【００４１】
歌詞文字表示サイズ制御手段３９の文字サイズ制御では、例えば、各歌唱フレーズの先頭文字あるいは先頭文字から所定数の文字を、それ以降の文字よりも大きく表示したり、各歌唱フレーズの末尾側から先頭側に向かって徐々に文字サイズを大きくしたりすることができる。
【００４２】
また、歌詞文字表示サイズ制御手段３９は、歌詞文字縮小表示制御手段４０により歌詞文字データの縮小表示制御が行われている場合に、各歌唱フレーズにおける先頭側の文字サイズを末尾側の文字サイズよりも大きく表示するように機能させることも可能である。
【００４３】
なお、歌詞文字表示サイズ制御手段３９を機能させるか否かを設定可能な構成とすることが好ましい。すなわち、サービスマンやカラオケ店員がサービススイッチを操作して、デフォルト設定として、歌詞文字データの表示サイズを制御するか否かを設定することが可能である。また、歌唱者がカラオケリモコン装置２２等を用いて設定を行うことにより、楽曲毎に歌詞文字データの表示サイズを制御するか否かを設定することも可能である。いずれの場合であっても、歌唱者がカラオケリモコン装置２２等を用いてデフォルト設定を変更することが可能である。
【００４４】
＜歌詞文字縮小表示制御手段＞
歌詞文字縮小表示制御手段４０は、歌詞文字をデフォルトサイズよりも小さく表示させるためのプログラムからなる。例えば、フルハイビジョンに対応した高精細な背景映像を表示するカラオケ演奏装置１０では、背景映像を楽しませるために、歌詞文字縮小表示制御手段４０の機能により、歌詞文字をデフォルトサイズよりも小さく表示させればよい。
【００４５】
なお、歌詞文字縮小表示制御手段４０を機能させるか否かを設定可能な構成とすることが好ましい。すなわち、サービスマンやカラオケ店員がサービススイッチを操作して、デフォルト設定として、歌詞文字データを縮小表示させるか否かを設定することが可能である。また、歌唱者がカラオケリモコン装置２２等を用いて設定を行うことにより、楽曲毎に歌詞文字データを縮小表示させるか否かを設定することも可能である。いずれの場合であっても、歌唱者がカラオケリモコン装置２２等を用いてデフォルト設定を変更することが可能である。
【００４６】
＜歌詞文字の表示制御処理＞
図３及び図４を参照して、本実施形態の歌詞文字表示制御処理について説明する。サービスマンやカラオケ店員の操作により、あるいは歌唱者の操作により、歌詞文字表示サイズ制御手段３９が動作するような設定が行われると、各歌唱フレーズにおける先頭側の文字サイズを末尾側の文字サイズよりも大きく表示する制御が行われる。
【００４７】
図３に示す例では、各歌唱フレーズにおいて、歌詞テロップ（歌詞文字）の最先頭の１文字を、それ以降の文字よりも大きなサイズで表示する。これにより、歌詞テロップの表示を見ている歌唱者は、最先頭の１文字を視認して、この１文字に続く歌詞を思い出したり、連想したりするきっかけを得ることができる。なお、大きなサイズで表示する文字数は、最先頭の１文字に限られず、２文字あるいは３文字であってもよい。
【００４８】
図４に示す例では、各歌唱フレーズにおいて、歌詞テロップ（歌詞文字）の先頭側から末尾側へ向かって歌詞文字が徐々に小さくなるように表示する。なお、最末尾の歌詞文字の文字サイズがデフォルトの文字サイズである。これにより、歌詞テロップの表示を見ている歌唱者は、先頭側の文字を視認して、この文字に続く歌詞を思い出したり、連想したりするきっかけを得ることができる。図４に示す例では、最先頭の文字が一番大きく表示され、末尾側へ向かって徐々に小さく表示されるので、最先頭の１文字あるいは２文字だけでは歌詞を連想できない場合であっても、続く３文字目あるいは４文字目により、歌詞を連想できる可能性を高めることができる。なお、すべての歌詞文字を徐々に小さく表示するのではなく、先頭から数文字の間でデフォルトの文字サイズに達するように、歌詞文字を徐々に小さく表示し、デフォルトの文字サイズに達した以降の歌詞文字は、すべてデフォルトの文字サイズで表示してもよい。
【００４９】
上述した図３及び図４に示す例のように、歌詞文字は左側から右側へ向かって表示されることが一般的である。本実施形態では、歌詞テロップの先頭側である左側の文字を大きなサイズで表示するため、拡大表示された文字は画面の左隅に位置し、背景映像の邪魔になる可能性が低くなる。すなわち、本発明のように、各歌唱フーズにおいて歌詞テロップの先頭側の文字を拡大表示したとしても、背景映像表示の阻害を極力避けることができる。
【００５０】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、カラオケ本体２１をカラオケサーバとネットワーク接続することにより、利用者情報等を一元的に管理することができる。
【符号の説明】
【００５１】
１０  カラオケ演奏装置
２１  カラオケ本体
２２  カラオケリモコン装置
２２ａ  楽曲検索手段
２２ｂ  楽曲索引データベース
２３  スピーカ
２４  マイクロホン
２５  表示装置
２６  ミキシングアンプ
３１  中央制御手段
３２  ＲＯＭ
３３  ＲＡＭ
３３ａ  予約待ち行列
３３ｂ  表示タイミングデータ
３４  ＨＤＤ
３４ａ  楽曲データベース
３４ｂ  映像データベース
３５  送受信手段
３６  予約管理手段
３７  音楽再生制御手段
３８  映像再生制御手段
３９  歌詞文字表示サイズ制御手段
４０  歌詞文字縮小表示制御手段
【図１】
2013054046.tif 000003
【図２】
2013054046.tif 000004
【図３】
2013054046.tif 000005
【図４】
2013054046.tif 000006